(57)【要約】【課題】簡易な構成で保護カバーの熱変形を防止すると共に、保護カバーの開閉状態の視認性を向上させるプロジェクターを提供する。【解決手段】プロジェクター１は、透明部材で形成され、投写レンズ３から射出される光束の光軸に対して略直交する方向にスライド自在に設置され、投写レンズ３を保護する保護カバー６を備え、保護カバー６は、投写レンズ３に対向して遮蔽部６２を備え、遮蔽部６２は、入射する光束を拡散させる第１拡散部６２３を有している。また、保護カバー６は、外装筺体２に露出して設置され、遮蔽部６２をスライド自在に操作する操作部６３２を有し、操作部６３２は、投写レンズ３から射出された光束が伝達される。また、操作部６３２は、伝達された光束を拡散する第２拡散部６３３を有している。【選択図】図４
2012133275.tif 000002
【特許請求の範囲】
【請求項１】
光源と、当該光源から射出された光束を画像情報に応じて変調する光変調装置と、当該光変調装置で変調された光束を投写する投写レンズとを備えたプロジェクターであって、
透明部材で形成され、前記投写レンズから射出される光束の光軸に対して略直交する方向にスライド自在に設置され、前記投写レンズを保護する保護カバーを備え、
前記保護カバーは、前記投写レンズに対向する遮蔽部を備え、
前記遮蔽部は、入射する前記光束を拡散させる第１拡散部を有していることを特徴とするプロジェクター。
【請求項２】
請求項１に記載のプロジェクターであって、
前記光源、前記光変調装置、および前記投写レンズを内部に収容する筺体を備え、
前記保護カバーは、前記筺体より露出して設置されて前記遮蔽部をスライド自在に操作する操作部を有し、
前記操作部は、前記投写レンズから射出された光束が伝達されることを特徴とするプロジェクター。
【請求項３】
請求項１または請求項２に記載のプロジェクターであって、
前記操作部は、伝達された前記光束を拡散する第２拡散部を有していることを特徴とするプロジェクター。
【請求項４】
請求項１〜請求項３のいずれか一項に記載のプロジェクターであって、
前記第１拡散部および前記第２拡散部の少なくとも一方は、シボ形状で形成されていることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調し、変調された光束を投写するプロジェクターが知られている。このプロジェクターには、投写レンズが備えられており、変調された光束をスクリーンなどに拡大投写している。この投写レンズは、投写する際にレンズが露出するため、一般的に、レンズを保護するシャッターが備えられている（例えば、特許文献１参照）。
【０００３】
このようなシャッターにおいて、投写レンズから光束が射出された状態で、シャッターが閉じられると、射出された光束がシャッターに投写され、光束による熱でシャッターが変形する。なお、この熱変形を防止するために、シャッターが閉じられたことを検出する検出スイッチを設けたプロジェクターがある。このようなプロジェクターでは、検出スイッチにより、シャッターが閉じられたことを検出すると、プロジェクターを構成する制御部の動作により、例えば、光源装置を駆動する駆動電圧を低下させることにより、投写光の輝度を低下させることで、シャッターに溜まる熱量を低下させることを行っている。
【０００４】
また、特許文献２では、遮光手段（シャッター）の投写レンズに対向する面に、投写レンズからの入射光束を反射する反射部材を設けることにより、遮光手段の発熱を抑えて変形を防止することが開示されている。
【先行技術文献】
【特許文献】
【０００５】
【特許文献１】特開２００７−２４０５５１号公報
【特許文献２】特開２００７−２０６２０３号公報
【発明の概要】
【発明が解決しようとする課題】
【０００６】
しかしながら、シャッター（保護カバー）の熱変形を防止するために、検出スイッチを設けることや、反射部材を設けることは、構成が複雑となり、部品コストや製造コストが高くなってしまうという課題がある。
従って、簡易な構成で保護カバーの熱変形を防止すると共に、保護カバーの開閉状態の視認性を向上させるプロジェクターが要望されていた。
【課題を解決するための手段】
【０００７】
本発明は、上述した課題の少なくとも一部を解決するためになされたものであり、以下の形態または適用例として実現することが可能である。
【０００８】
［適用例１］本適用例に係るプロジェクターは、光源と、光源から射出された光束を画像情報に応じて変調する光変調装置と、光変調装置で変調された光束を投写する投写レンズとを備えたプロジェクターであって、透明部材で形成され、投写レンズから射出される光束の光軸に対して略直交する方向にスライド自在に設置され、投写レンズを保護する保護カバーを備え、保護カバーは、投写レンズに対向する遮蔽部を備え、遮蔽部は、入射する光束を拡散させる第１拡散部を有していることを特徴とする。
【０００９】
このプロジェクターの構成によれば、保護カバーが閉じられた状態（遮蔽部が投写レンズに対向する位置にスライドされた状態）で投写レンズから光束が射出された場合や、投写レンズから光束が射出されている状態で保護カバーが閉じられた場合等において、保護カバーは透明部材で形成されるため、投写レンズから射出される光束により遮蔽部に熱が溜まることを抑制できるため、遮蔽部（保護カバー）の熱による変形を防止することができる。また、遮蔽部に入射した光束が第１拡散部により拡散されることにより、入射する光束が第１拡散部で拡散されるため、意図した投写画像と異ならせることができ、使用者に保護カバーが閉じられた状態であることを明示できることで、保護カバーの開閉状態の視認性を向上させることができる。また、簡易な構成で保護カバーを実現できるため、部品コストや製造コストが高くなることを抑制できる。また、保護カバーの本来の目的である、投写レンズの保護（ゴミの付着防止や傷防止）の機能を果たすことができる。
【００１０】
［適用例２］上記適用例に係るプロジェクターにおいて、光源、光変調装置、および投写レンズを内部に収容する筺体を備え、保護カバーは、筺体より露出して設置されて遮蔽部をスライド自在に操作する操作部を有し、操作部は、投写レンズから射出された光束が伝達されることが好ましい。
【００１１】
このプロジェクターの構成によれば、操作部に投写レンズから射出された光束が伝達され、操作部から光束が射出される。従って、保護カバーが閉じられた状態で投写レンズから光束が射出された場合等には、遮蔽部を経由して伝達された光束が操作部より射出されることで、使用者に保護カバーが閉じられていることを更に明確に明示することができ、保護カバーの開閉状態の視認性を更に向上させることができる。
【００１２】
［適用例３］上記適用例に係るプロジェクターにおいて、操作部は、伝達された光束を拡散する第２拡散部を有していることが好ましい。
【００１３】
このプロジェクターの構成によれば、操作部に第２拡散部を有することにより、操作部に伝達された光束が第２拡散部で拡散され、拡散光として射出させることができるため、操作部の視認性を更に向上させることができる。
【００１４】
［適用例４］上記適用例に係るプロジェクターにおいて、第１拡散部および第２拡散部の少なくとも一方は、シボ形状で形成されていることが好ましい。
【００１５】
このプロジェクターの構成によれば、シボ形状で形成されることにより、拡散光を一様にさせることができ、拡散光の見栄えを向上させる。また、第１拡散部や第２拡散部の質感を向上させることができる。
【図面の簡単な説明】
【００１６】
【図１】実施形態のプロジェクターの概構成を示す模式図。
【図２】外装筺体を示す概斜視図。
【図３】プロジェクターの前面側を示す縦断面図。
【図４】保持部材および保護カバーをプロジェクターの前面側から見た斜視図。
【図５】保持部材および保護カバーをプロジェクターの前面側から見た斜視図。
【図６】保護カバーの背面側を示す斜視図。
【発明を実施するための形態】
【００１７】
以下、実施形態を図面に基づいて説明する。
（実施形態）
【００１８】
（１）プロジェクター１の全体構成
図１は、本実施形態のプロジェクター１の概構成を示す模式図である。
本実施形態のプロジェクター１は、光源から射出された光束を画像情報に応じて変調して光学像を形成し、形成された光学像を投写レンズ３を介してスクリーン（図示省略）等に射出（投写）するものである。プロジェクター１は、外装筺体２と投写レンズ３と光学ユニット４等を備えて構成されている。
【００１９】
外装筺体２内において、図示省略するが、投写レンズ３および光学ユニット４以外の空間には、プロジェクター１内部を冷却する冷却ファン等で構成される冷却ユニット、プロジェクター１内部の各構成部材に電力を供給する電源ユニット、およびプロジェクター１全体を制御する制御装置等が配置される。また、外装筺体２については、後に詳述する。
【００２０】
投写レンズ３は、後述する光学ユニット４で形成された光学像（カラー画像）をスクリーン（図示省略）に拡大投写する。投写レンズ３は、筒状の鏡筒内に複数のレンズが収容された組レンズとして構成されている。
【００２１】
（２）光学ユニット４の構成
光学ユニット４は、制御装置による制御の下、光源から射出された光束を、光学的に処理して画像情報に対応した光学像（カラー画像）を形成するユニットである。光学ユニット４は、外装筺体２の背面に沿って延出すると共に、外装筺体２の側面に沿って延出する平面視略Ｌ字形状を有している。
【００２２】
光学ユニット４は、図１に示すように、光源装置４１、照明光学装置４２、色分離光学装置４３、リレー光学装置４４、電気光学装置４５、およびこれら光学装置４１〜４５を内部に収容するとともに、投写レンズ３を所定位置で支持固定する光学部品用筺体４６を備えて構成されている。
【００２３】
光源装置４１は、光源４１１およびリフレクター４１２等を備える。光源装置４１は、光源４１１から射出された光束をリフレクター４１２によって射出方向を揃え、照明光軸Ａに対して平行化して照明光学装置４２に向けて射出する。本実施形態の光源装置４１は、超高圧水銀ランプを採用している。
【００２４】
照明光学装置４２は、第１レンズアレイ４２１、第２レンズアレイ４２２、偏光変換素子４２３、重畳レンズ４２４、および３つのフィールドレンズ４２５を備える。第１レンズアレイ４２１および第２レンズアレイ４２２は、光源装置４１から射出された光束を複数の部分光束に分解する。偏光変換素子４２３は、第２レンズアレイ４２２から射出されたランダム偏光光である部分光束に対し、光の利用効率を高めるために、後述する液晶パネル４５２で利用可能な略１種類の偏光光に揃える。重畳レンズ４２４は、フィールドレンズ４２５と共に、偏光変換素子４２３から射出された各部分光束をその中心軸（主光線）に対して平行な光束に変換し、液晶パネル４５２の画像形成領域に対して重畳させる。
【００２５】
色分離光学装置４３は、２枚のダイクロイックミラー４３１，４３２、および反射ミラー４３３を備え、照明光学装置４２から射出された光束を赤色（Ｒ）光、緑色（Ｇ）光、青色（Ｂ）光の３色の色光に分離する機能を有する。
【００２６】
リレー光学装置４４は、入射側レンズ４４１、リレーレンズ４４３、および反射ミラー４４２，４４４を備え、色分離光学装置４３で分離されたＲ光をＲ光用の液晶パネル４５２Ｒまで導く機能を有する。なお、本実施形態の光学ユニット４は、リレー光学装置４４がＲ光を導く構成としているが、これに限らず、例えば、Ｂ光を導く構成としてもよい。
【００２７】
電気光学装置４５は、入射側偏光板４５１、光変調装置として３つの液晶パネル４５２（Ｒ光用の液晶パネルを４５２Ｒ、Ｇ光用の液晶パネルを４５２Ｇ、Ｂ光用の液晶パネルを４５２Ｂとする）、射出側偏光板４５４、および色合成光学装置としてのクロスダイクロイックプリズム４５５を備える。電気光学装置４５は、色分離光学装置４３で分離された各色光を画像情報に応じてそれぞれ変調し、色光毎に変調した光束を合成して光学像を形成し、投写レンズ３に向けて射出する。
【００２８】
（３）外装筺体２の構成
図２は、外装筺体２を示す概斜視図である。なお、図２は、投写レンズ３の先端部が保護カバー６で保護された状態を示している。
外装筺体２は、合成樹脂等から構成され、投写レンズ３および光学ユニット４を内部に収容し、大略直方体状に形成されている。外装筺体２は、図２に示すように、プロジェクター１の上面、前面、背面、および側面をそれぞれ構成するアッパーケース２１と、プロジェクター１の底面、前面、背面および側面をそれぞれ構成するロアーケース２２とで構成され、アッパーケース２１およびロアーケース２２は互いにねじ等で固定されている。外装筺体２は、合成樹脂等に限らず、その他の材料で形成してもよく、例えば、金属等により構成してもよい。
【００２９】
アッパーケース２１の前面２１ａには、投写レンズ３を露出させ、投写レンズ３から射出される光学像としての光束が通過する開口部２１１が形成されている。また、アッパーケース２１の上面２１ｂには、アッパーケース２１の内側にスライド自在に設けられた保護カバー６の操作部６３２を露出させ、操作部６３２によるスライドを案内する略長円形状のガイド孔２１２が形成されている。ガイド孔２１２は、アッパーケース２１の前面２１ａに沿った方向、すなわち、水平方向に延びて形成されている。
【００３０】
また、アッパーケース２１の上面２１ｂで、ガイド孔２１２の後側には、外装筺体２の内部側に窪む凹部２１３が形成され、凹部２１３の底部分に内部と貫通する開口部２１３Ａを有している。開口部２１３Ａを介して、投写レンズ３の鏡筒３１に設置されるズーム用レバー３１ａとフォーカス用レバー３１ｂが露出し、操作可能となっている。
【００３１】
図３は、プロジェクター１の前面側を示す縦断面図である。図４、図５は、保持部材５および保護カバー６をプロジェクター１の前面側から見た斜視図である。図６は、保護カバー６の背面側を示す斜視図である。なお、図４は、保護カバー６をスライドさせて保持部材５の開口部５１１を開放した状態の斜視図であり、図５は、開口部５１１を閉塞した状態の斜視図である。
【００３２】
アッパーケース２１の内側には、投写レンズ３を保護する保護カバー６と、保護カバー６を、投写レンズ３から射出される光束の光軸に対して略直交する方向にスライド自在に保持する保持部材５が設けられている。具体的に、保護カバー６は、図３に示すように、アッパーケース２１と、保持部材５との間に介装されている。
【００３３】
（４）保持部材５の構成
最初に、保持部材５について説明する。
保持部材５は、略矩形状を有する合成樹脂製の板状部材であり、アッパーケース２１の前面２１ａに沿って、アッパーケース２１の内側に取り付けられ、保護カバー６をスライド自在に保持する。保持部材５には、図４、図５に示すように、保護カバー６と対向する面となる前面部５１と、上面部５２とが形成されている。
【００３４】
上面部５２には、保護カバー６側に突出する突出部５２１が形成され、また、上面側には、水平方向に延出する突条部５２２が形成されている。突出部５２１および突条部５２２は、保護カバー６との接触面積を小さくすることで、保護カバー６のスライド時の抵抗を減じている。
【００３５】
前面部５１には、保持部材５を貫通する略矩形状の開口部５１１が略中央に形成されている。開口部５１１は、投写レンズ３から射出された光学像としての光束が通過する開口であり、前述のアッパーケース２１の前面２１ａに形成された開口部２１１に対応する位置に形成されている。
【００３６】
また、前面部５１の上方右側端部（図４、図５における上方右側）から略中央にかけて、後述する保護カバー６の突起６１３（図６参照）が挿通する略長円形状のガイド孔５１２が、水平方向に延出するように形成されている。さらに、前面部５１の下方には、前面部５１から面外方向（保護カバー６に近接する方向）に突出する突条部５１３が水平方向に延出するように形成されている。突条部５１３は、突出部５２１および突条部５２２と同様に、保護カバー６との接触面積を小さくして、保護カバー６の水平方向へのスライド時の抵抗を減じている。また、これら突出部５２１および突条部５２２，５１３により、保護カバー６のスライド移動が安定化される。
【００３７】
（５）保護カバー６の構成
保護カバー６は、投写レンズ３から射出される光束の光軸に対して略直交する方向で、保持部材５に沿って一方向にスライド移動して、外装筺体２の開口部２１１、保持部材５の開口部５１１を介して投写レンズ３を露出させると共に、他方向にスライド移動して開口部５１１を遮蔽し、投写レンズ３を保護するものである。保護カバー６は、図４から図６に示すように、略Ｌ字状を有し、透明な合成樹脂製の一体成形品として形成されている。
【００３８】
保護カバー６には、図４から図６に示すように、保持部材５の前面部５１に沿って水平方向に延出する水平部６１が形成されている。また、保護カバー６には、図４、図５に示すように、水平部６１の略中央から左側の端部にかけて下方に延出し、投写レンズ３から射出された光束を拡散させる第１拡散部６２３を有した遮蔽部６２が形成されている。また、保護カバー６には、水平部６１の上端から保持部材５側（プロジェクター１の背面側）に向かって延出する延出部６３が形成されている。
【００３９】
アッパーケース２１の前面２１ａの内面に対向する延出部６３の位置には、前面２１ａの内面側に突出する突出部６３１が形成され、突出部６３１は、前面２１ａの内面に当接される。また、延出部６３の上面側略中央には、略矩形状に突出した操作部６３２が形成されている。この操作部６３２は、前述のアッパーケース２１に形成されたガイド孔２１２（図２参照）から露出する。この操作部６３２をガイド孔２１２に沿ってスライドさせることにより、保護カバー６がアッパーケース２１の前面２１ａに沿ってスライド移動する。
【００４０】
また、延出部６３の下面には、図６に示すように、下面から突出する２つの突出部６３４が形成されている。突出部６３４は、保護カバー６を保持部材５に取り付けた際に、保持部材５に形成された突条部５２２に当接する。突出部６３４は、突条部５２２に対して直交する方向に形成されている。
【００４１】
水平部６１には、図４、図５に示すように、水平部６１を貫通する略円形状の孔６１１が複数設けられており、保護カバー６の軽量化および材料の削減が図られている。また、水平部６１の前面２１ａ側の下端には、面外方向に突出すると共に、水平方向に延出する突条部６１２が形成されている。突条部６１２は、アッパーケース２１の前面２１ａの内面に当接される。
【００４２】
水平部６１の背面側には、図６に示すように、ピン状の突起６１３が面外方向に突出するように形成されている。突起６１３は、水平部６１における遮蔽部６２が形成された端部とは反対側の端部に形成され、前述のように、保持部材５のガイド孔５１２に挿通され、保持部材５に沿った保護カバー６のスライド移動を案内する。
【００４３】
遮蔽部６２は、保護カバー６が閉じられた状態で、投写レンズ３と対向する位置に形成され、保持部材５に形成された開口部５１１より大きな寸法を有する略矩形状に形成されている。遮蔽部６２の前面側における下端近傍には、突出部６３１および突条部６１２と同様に、水平方向に延出し、アッパーケース２１の前面２１ａ側に突出して、前面２１ａの内面に当接される突条部６２１が形成されている。
【００４４】
また、遮蔽部６２は、２つの突条部６１２，６２１に挟まれた遮蔽部６２の前面側表面に、図４、図５に斜線で示すように、細かいシボ形状で形成された第１拡散部６２３を有している。第１拡散部６２３は、投写レンズ３から入射する光束をシボ形状で拡散させる。
【００４５】
また、延出部６３の上面側略中央に突出して形成された操作部６３２の外周面全域には、第１拡散部６２３と同様に、シボ形状で形成された第２拡散部６３３を有している。第２拡散部６３３は、投写レンズ３から入射する光束が遮蔽部６２を経由して操作部６３２に伝達され、伝達された光束をシボ形状で拡散させる。
【００４６】
（６）保護カバー６の動作
ここで、図５に示すように、保護カバー６をスライド移動させて、投写レンズ３から射出された光束の光路上に遮蔽部６２を配置した際の、投写レンズ３から射出された光束の流れを説明することにより、保護カバー６の動作について詳細に説明する。
【００４７】
投写レンズ３から射出された光学像を形成する光束は、保持部材５に形成された開口部５１１を介して保護カバー６の遮蔽部６２に入射し、遮蔽部６２の前面側表面に形成された第１拡散部６２３に到達する。第１拡散部６２３に到達（入射）した光束は、第１拡散部６２３のシボ形状により拡散されて遮蔽部６２から拡散光として射出される。保護カバー６（遮蔽部６２）は、投写レンズ３から射出（投写）された光束を第１拡散部６２３で拡散して射出させることにより、光束による熱を逃がすことができる。
【００４８】
また、保護カバー６の遮蔽部６２に入射した光束は、一部が、水平部６１および延出部６３を伝達して、操作部６３２に伝達される。操作部６３２に伝達した光束は、操作部６３２の外周面に形成される第２拡散部６３３に伝達される。第２拡散部６３３に伝達された光束は、第２拡散部６３３のシボ形状により拡散されて外部に拡散光として射出される。
【００４９】
上述した実施形態によれば、以下の効果が得られる。
本実施形態のプロジェクター１によれば、保護カバー６が閉じられた状態（遮蔽部６２が投写レンズ３に対向する位置にスライドされた状態）で投写レンズ３から光束が射出された場合や、投写レンズ３から光束が射出されている状態で保護カバー６が閉じられた場合等において、保護カバー６は透明な合成樹脂製の一体成形品として形成されるため、投写レンズ３から射出される光束により遮蔽部６２に熱が溜まることを抑制でき、遮蔽部６２（保護カバー６）の熱による変形を防止することができる。
【００５０】
また、遮蔽部６２に入射した光束が第１拡散部６２３により拡散されることにより、意図した投写画像と異ならせることができ、使用者に保護カバー６が閉じられた状態であることを明示できることで、保護カバー６の開閉状態の視認性を向上させることができる。
【００５１】
また、簡易な構成で保護カバー６を実現できるため、部品コストや製造コストが高くなることを抑制できる。また、保護カバー６の本来の目的である、投写レンズ３の保護（ゴミの付着防止や傷防止）の機能を果たすことができる。
【００５２】
また、従来のように、投写レンズの先端部に設置される着脱可能なキャップ型の保護カバーに比較して、スライド自在に設置される本実施形態の保護カバー６は、取扱いが容易であり、また、紛失する恐れがない。
【００５３】
本実施形態のプロジェクター１によれば、操作部６３２の外周面にはシボ形状で形成される第２拡散部６３３を有している。そして、投写レンズ３から射出された光束が遮蔽部６２を経由して操作部６３２に伝達された場合、シボ形状で形成される第２拡散部６３３により、外周面にシボ形状等を形成しない場合に比較して、光束を拡散させることにより操作部６３２全体から光束を射出させることができる。従って、使用者に保護カバー６が閉じられていることを明確に明示することができ、保護カバー６の開閉状態の視認性を更に向上させることができる。
【００５４】
本実施形態のプロジェクター１によれば、第１拡散部６２３、第２拡散部６３３により、拡散光を一様にさせることができ、拡散光の見栄えを向上させる。また、第１拡散部６２３や第２拡散部６３３の質感を向上させることができる。
【００５５】
なお、上述した実施形態に限定されず、その要旨を逸脱しない範囲において種々の変更や改良などを加えて実施することが可能である。変形例を以下に述べる。
【００５６】
前記実施形態のプロジェクター１において、保護カバー６の第１拡散部６２３および第２拡散部６３３は、シボ形状で形成されている。しかし、これに限られず、凹凸形状で形成されていてもよい。また、操作部６３２には、伝達された光束を拡散する第２拡散部６３３を必ずしも有していなくてもよい。第２拡散部６３３を有さない場合においても、操作部６３２に光束が伝達され、操作部６３２から光束が射出されることにより、保護カバー６が閉じられていることを明示することができる。
【００５７】
前記実施形態のプロジェクター１において、保護カバー６の遮蔽部６２は、２つの突条部６１２，６２１に挟まれた遮蔽部６２の前面側表面に、第１拡散部６２３を有している。しかし、これに限られず、第１拡散部６２３は、２つの突条部６１２，６２１に挟まれた領域でなくてもよい。また、第１拡散部６２３は、遮蔽部６２の背面側表面（投写レンズ３に対向する表面）に有していてもよいし、遮蔽部６２の両面側の表面に有していてもよい。第１拡散部６２３は、保護カバーの形状に対応させて適宜形成することでよい。
【００５８】
前記実施形態のプロジェクター１において、保護カバー６の操作部６３２は、外装筺体２の上面２１ｂに露出させて設置されている。しかし、これに限られず、外装筺体２の前面２１ａに露出させて設置されていてもよい、また、外装筺体２の側面に露出させて設置されていてもよい。
【００５９】
前記実施形態のプロジェクター１において、電気光学装置４５は、Ｒ光、Ｇ光、Ｂ光に対応する３つの光変調装置を用いるいわゆる３板方式を採用している。しかし、これに限られず、単板方式の光変調装置を採用してもよい。また、コントラストを向上させるための光変調装置を追加して採用してもよい。
【００６０】
前記実施形態のプロジェクター１において、電気光学装置４５は、透過型の光変調装置（透過型の液晶パネル４５２）を採用している。しかし、これに限られず、反射型の光変調装置を採用してもよい。
【００６１】
前記実施形態のプロジェクター１において、電気光学装置４５は、光変調装置として液晶パネル４５２を採用している。しかし、これに限られず、一般に、入射光束を画像信号に基づいて変調するものであればよく、例えば、マイクロミラー型の光変調装置など、他の方式の光変調装置を採用することができる。なお、マイクロミラー型の光変調装置としては、例えば、ＤＭＤ（Digital Micromirror Device）を採用することができる。
【００６２】
前記実施形態のプロジェクター１において、光学ユニット４は、光源装置４１から射出された光束の照度を均一化する照明光学装置４２として、第１レンズアレイ４２１、第２レンズアレイ４２２からなるレンズインテグレーター光学系を採用している。しかし、これに限定されるものではなく、導光ロッドからなるロッドインテグレーター光学系も採用することができる。
【００６３】
前記実施形態のプロジェクター１の光学ユニット４において、光源装置４１の光源４１１は、超高圧水銀ランプなどの放電式ランプを採用しているが、レーザーダイオード、ＬＥＤ（Light Emitting Diode）、有機ＥＬ（Electro Luminescence）素子、シリコン発光素子などの各種固体発光素子を採用してもよい。
【符号の説明】
【００６４】
１…プロジェクター、２…外装筺体、３…投写レンズ、５…保持部材、６…保護カバー、６２…遮蔽部、６２３…第１拡散部、６３２…操作部、６３３…第２拡散部。
【図１】
2012133275.tif 000003
【図２】
2012133275.tif 000004
【図３】
2012133275.tif 000005
【図４】
2012133275.tif 000006
【図５】
2012133275.tif 000007
【図６】
2012133275.tif 000008